(57)【要約】【課題】浴室ＢＲを衣服に付着した花粉等を除去するためのエアシャワールームとして活用できるようにしたミスト機能付き浴室暖房機を提供する。【解決手段】浴室暖房機Ａによるエアシャワー運転を可能にする。エアシャワー運転に際しては、先ず、ミストノズル１２から水を噴霧しつつ送風方向を変えて、浴室ＢＲの壁面を水で濡らす予洗浄運転を行う。次に、浴室ＢＲ内の利用者Ｐに向けて空気流を吹きつけて、利用者Ｐの衣服から吹き飛ばす本運転を行う。吹き飛ばされた花粉等は空気流に乗って壁面に運ばれ、壁面の水に吸着して捕集される。本運転後、ミストノズル１２から再度水を噴霧して、浴室の壁面を洗い流す後洗浄運転を行う。また、予洗浄や後洗浄の運転時に噴霧する水は酸性水とし、浴室ＢＲの殺菌効果も得られるようにする。【選択図】図３
2008014550.tif 000002
【特許請求の範囲】
【請求項１】
通風路と、通風路を介して浴室の空気を循環させる循環ファンと、通風路に流れる空気を加熱する加熱手段と、水を噴霧するミストノズルとを備えるミスト機能付き浴室暖房機において、
エアシャワー運転を行うエアシャワー制御手段を備え、
エアシャワー制御手段は、循環ファンを回転させて浴室内の利用者に空気流を吹きつける本運転に先行して、ミストノズルから水を噴霧して浴室の壁面を濡らす予洗浄運転を行うように構成されていることを特徴とするミスト機能付き浴室暖房機。
【請求項２】
前記エアシャワー制御手段は、前記本運転後にミストノズルから水を噴霧して浴室の壁面を洗い流す後洗浄運転を行うように構成されていることを特徴とする請求項１記載のミスト機能付き浴室暖房機。
【請求項３】
電解槽を備え、前記予洗浄運転時に電解槽で生成される酸性水をミストノズルから噴霧させることを特徴とする請求項１記載のミスト機能付き浴室暖房機。
【請求項４】
電解槽を備え、前記後洗浄運転時に電解槽で生成される酸性水をミストノズルから噴霧させることを特徴とする請求項２記載のミスト機能付き浴室暖房機。
【発明の詳細な説明】
【技術分野】
【０００１】
本発明は、浴室に水を噴霧できるようにしたミスト機能付き浴室暖房機に関する。
【背景技術】
【０００２】
従来、この種の浴室暖房機として、通風路と、通風路を介して浴室の空気を循環させる循環ファンと、通風路に流れる空気を加熱する加熱手段と、水を噴霧するミストノズルとを備え、循環ファンと加熱手段とを作動させて温風を浴室に送風すると共にミストノズルから水を噴霧して、浴室を高温多湿のミストサウナ状態にすることができるようにしたものが知られている。
【０００３】
また、このようなミスト機能付き浴室暖房機において、電解槽を備え、電解槽で生成される酸性水(次亜塩素酸水)をミストノズルから噴霧して、浴室の壁面を殺菌できるようにしたものも知られている(特許文献１参照)。
【０００４】
ところで、最近は、花粉症やアレルギー対策として、帰宅時に衣服に付いた花粉や埃を除去するためのエアシャワールームを一般家庭に設けることが望まれるようになっている。然し、一般家庭においてエアシャワールームを設けることはスペース的、コスト的にかなり無理がある。
【０００５】
そこで、本願発明者は、浴室暖房機付きの浴室をエアシャワールームに兼用することを着想するに至った。即ち、浴室暖房機の循環ファンを高速回転させて、浴室内の利用者に空気流を吹き付け、利用者の衣服に付着している花粉等を吹き飛ばすことである。然し、これだけでは、吹き飛ばされた花粉等が浴室に循環して衣服に再付着してしまう。
【特許文献１】特開平１１−３１６０８３号公報
【発明の開示】
【発明が解決しようとする課題】
【０００６】
本発明は、以上の点に鑑み、浴室をエアシャワールームとして十分に活用できるようにしたミスト機能付き浴室暖房機を提供することをその課題としている。
【課題を解決するための手段】
【０００７】
上記課題を解決するために、本発明は、通風路と、通風路を介して浴室の空気を循環させる循環ファンと、通風路に流れる空気を加熱する加熱手段と、水を噴霧するミストノズルとを備えるミスト機能付き浴室暖房機において、エアシャワー運転を行うエアシャワー制御手段を備え、エアシャワー制御手段は、循環ファンを回転させて浴室内の利用者に空気流を吹きつける本運転に先行して、ミストノズルから水を噴霧して浴室の壁面を濡らす予洗浄運転を行うように構成されていることを特徴とする。
【０００８】
本発明によれば、予洗浄運転で浴室の壁面が濡れているため、本運転時に利用者に吹き付けられる空気流で利用者の衣服から吹き飛ばされた花粉や埃は、空気流に乗って浴室の壁面に運ばれたときに壁面の水に吸着して捕集される。従って、衣服から吹き飛ばされた花粉等が浴室に循環して衣服に再付着することを抑制でき、浴室をエアシャワールームとして十分に活用できる。
【０００９】
また、本発明において、エアシャワー制御手段は、本運転後にミストノズルから水を噴霧して浴室の壁面を洗い流す後洗浄運転を行うように構成されていることが望ましい。これによれば、本運転中に浴室の壁面の水に吸着された花粉等を洗い落として浴室から除去することができる。そのため、後で壁面が乾燥しても、浴室に花粉等が浮遊することはない。
【００１０】
更に、本発明においては、電解槽を備え、予洗浄運転時や後洗浄運転時に電解槽で生成される酸性水をミストノズルから噴霧させることが望ましい。これによれば、予洗浄運転時や後洗浄運転時に浴室を殺菌することもでき、衛生的である。
【００１１】
尚、後述する実施形態において、上記エアシャワー制御手段に相当するのは浴室暖房機用のコントローラ２４が実行する図２に示すエアシャワー運転制御である。
【発明を実施するための最良の形態】
【００１２】
図１を参照して、Ａは浴室ＢＲ(図３参照)の天井部に設置する本発明の実施形態のミスト機能付き浴室暖房機を示している。浴室暖房機Ａのハウジング１の下面には、吸込み口２と、可変ルーバ３ａ付きの吹出し口３とが設けられている。ハウジング１内には、吸込み口２から吹出し口３に至る通風路４と、通風路４を介して浴室ＢＲの空気を循環させる循環ファン５と、通風路４に流れる空気を加熱する加熱手段たる放熱器６とが配置されている。また、浴室暖房機Ａには、吸込み口２から吸込まれた空気を屋外に排気する換気ファン７が設けられている。
【００１３】
放熱器６には、別置きの熱源機８に連なる熱媒循環路９が接続されている。熱媒循環路９には暖房用熱媒弁１０が介設されており、熱源機８で加熱された熱媒体(水、不凍液等)が暖房用熱媒弁１０の開弁で放熱器６に循環される。そして、浴室ＢＲの空気が循環ファン５の回転により吸込み口２から通風路４に吸込まれて放熱器６で加熱され、温風となって吹出し口３から浴室ＢＲに送風される。
【００１４】
ハウジング１の上面にはミストユニット１１が搭載されている。そして、ミストユニット１１に配管接続されるミストノズル１２をハウジング１の下面の吹出し口３に隣接する部分に配置し、ミストノズル１２から噴霧されるミストが吹出し口３からの温風に乗って浴室ＢＲに供給されるようにしている。
【００１５】
ミストユニット１１には電解槽１３が設けられている。電解槽１３内は隔膜１３ａにより第１と第２の一対の極室１３ｂ，１３ｃに仕切られており、両極室１３ｂ，１３ｃに配置した一対の電極(図示せず)間に直流電圧を印加することにより、第１極室１３ｂでアルカリ性のイオン水(アルカリ水)が生成され、第２極室１３ｃで酸性のイオン水(酸性水)が生成される。
【００１６】
電解槽１３には、給水弁１５とその下流側のフィルタ１６とを介設した給水路１４を介して水道水が供給される。また、ミストノズル１２に連なるノズル水路１７と、家屋の下水配管に至る排水路１８とを設け、電解槽１３の両極室１３ｂ，１３ｃを四方弁１９を介してノズル水路１７と排水路１８とに接続するようにしている。四方弁１９は、第１極室１３ｂをノズル水路１７に接続すると共に第２極室１３ｃを排水路１８に接続する第１接続状態と、第２極室１３ｃをノズル水路１７に接続すると共に第１極室１３ｂを排水路１８に接続する第２接続状態と、第１と第２の両極室１３ｂ，１３ｃをノズル水路１７に接続する第３接続状態とに切換え自在である。
【００１７】
ノズル水路１７には、液々熱交換器２０と、その下流側のミスト弁２１とが介設され、更に、液々熱交換器２０とミスト弁２１との間のノズル水路１７の部分の温度を検出するミスト温度センサ２２が設けられている。液々熱交換器２０には、熱媒循環路９から分岐した熱媒循環路９´が接続されており、この熱媒循環路９´に流量調節弁から成るミスト用熱媒弁２３が介設されている。かくして、熱源機８で加熱された熱媒体がミスト用熱媒弁２３の開弁で液々熱交換器２０に供給され、ノズル水路１７に流れる水が液々熱交換器２０で熱媒体の熱により加熱され、温水となってミストノズル１２に供給される。
【００１８】
上記した可変ルーバ３ａ、循環ファン５、換気ファン７、暖房用熱媒弁１０、電解槽１３、給水弁１５、四方弁１９、ミスト弁２１及びミスト用熱媒弁２３は浴室暖房機用のコントローラ２４で制御される。このコントローラ２４は熱源機８用のコントローラと浴室に設置する浴室暖房機用のリモートコントローラとに通信可能に接続されている。リモートコントローラには、暖房スイッチ、乾燥スイッチ、ミストスイッチといった各種スイッチが設けられている。そして、コントローラ２４は、これらスイッチの操作に応じて暖房運転制御、乾燥運転制御、ミスト運転制御といった各種制御を実行する。
【００１９】
暖房運転制御では、熱源機８に作動指令を送ると共に暖房用熱媒弁１０を開弁させて、熱源機８で加熱された熱媒体を放熱器６に供給する。そして、放熱器６の予熱が完了したとき、循環ファン５を回転させる。これにより、吹出し口３から温風が吹出し、浴室ＢＲが暖房される。乾燥運転制御では、暖房運転制御と同様の制御に加え、浴室ＢＲの湿気を排出するために換気ファン７を回転させる。
【００２０】
ミスト運転制御では、熱源機８に作動指令を送ると共に、暖房用熱媒弁１０とミスト用熱媒弁２３とを開弁させて、熱源機８で加熱された熱媒体を放熱器６と液々熱交換器２０とに供給する。そして、放熱器６と液々熱交換器２０の予熱が完了したとき、循環ファン５を回転させると共に、給水弁１５とミスト弁２１とを開弁させる。これにより、吹出し口３から温風が吹出すと共に、ミストノズル１２に液々熱交換器２０で加熱された温水が供給され、ミストノズル１２から噴霧される温水ミストが温風に乗って浴室に供給されて、浴室が高温多湿のミストサウナ状態になる。ミスト運転中はミスト温度センサ２２の検出温度が設定温度に維持されるように、ミスト用熱媒弁２３で液々熱交換器２０に供給する熱媒体の流量を調節する温調制御を行う。
【００２１】
尚、リモートコントローラにより、ミスト運転のモードとして、アルカリ水と酸性水とを順に噴霧する併用モードと、アルカリ水のみを噴霧するアルカリモードと、酸性水のみを噴霧する酸性モードと、水道水をそのまま噴霧する中性モードとを選択できるようになっている。そして、併用モードを選択したときは、先ず、四方弁１９が第１接続状態に切換えられると共に電解槽１３に通電される。これによれば、電解槽１３の第１極室１３ｂで生成されるアルカリ水がノズル水路１７に供給され、アルカリ水の温水ミストが浴室に供給されて、皮膚老廃物の脂肪やタンパクなどを除去する洗浄効果が得られる。そして、所定時間経過後に四方弁１９が第２接続状態に切換えられる。これによれば、電解槽１３の第２極室１３ｃで生成される酸性水がノズル水路１７に供給され、酸性水の温水ミストが浴室に供給されて、皮膚表面の殺菌効果が得られる。アルカリモードを選択すると、四方弁１９は第１接続状態に維持され、また、酸性モードを選択すると、四方弁１９は第２接続状態に維持される。中性モードを選択したときは、電解槽１３に通電せずに四方弁１９が第３接続状態に切換えられ、水道水がそのままノズル水路１７に供給される。
【００２２】
リモートコントローラには、更に、エアシャワースイッチが設けられている。エアシャワースイッチをオンすると、コントローラ２４は図２に示すエアシャワー運転制御を実行する。エアシャワー運転制御では、先ず、Ｓ１のステップで運転開始を知らせるアラームを所定時間鳴動させて、浴室ＢＲからの退室を促し、次に、Ｓ２のステップで予洗浄運転を行う。
【００２３】
予洗浄運転では、四方弁１９を第２接続状態に切換えると共に電解槽１３に通電した状態で給水弁１５とミスト弁２１とを開弁させて、ミストノズル１２から酸性水を噴霧し、更に、循環ファン５を回転させて吹出し口３からの送風を行う。この際、可変ルーバ３ａを動作させて、図３(ａ)〜(ｃ)に白抜き矢印で示すように送風方向を浴室ＢＲの浴槽ＢＲａ側の壁面に向かう方向から洗い場ＢＲｂ側の壁面に向かう方向まで変化させる。これによれば、ミストノズル１２から噴霧された酸性水のミストが図３(ａ)(ｃ)にドットで示す如く吹出し口３から送風される空気流に乗って浴室ＢＲの壁面に到達し、壁面がミストの付着で濡れた状態になる。更に、酸性水により壁面が殺菌される。尚、洗い場ＢＲｂの床面が濡れないよう、送風方向が図３(ｂ)に示すように下向きになるときはミストノズル１２からの噴霧を中断する。
【００２４】
予洗浄運転開始後は、Ｓ３のステップで予洗浄運転の設定時間が経過したか否かを判別し、経過したときにＳ４のステップで予洗浄運転を停止する。次に、Ｓ５のステップで浴室ＢＲに利用者Ｐが入室したか否かを判別する。この判別は、浴室ドアの開閉を検出するドアスイッチや人センサからの信号に基づいて行うことができる。また、浴室内のリモートコントローラのエアシャワースイッチが再度オンされたときに、入室したと判別するようにしても良い。
【００２５】
入室したと判別されたときは、Ｓ６のステップに進んでエアシャワーの本運転を行う。本運転では、循環ファン５を高速回転させると共に、送風方向を図３(ｄ)に白抜き矢印で示す如く洗い場ＢＲｂに立つ利用者Ｐに向かう方向にし、更に、換気ファン７を回転させる。これによれば、利用者Ｐに吹出し口３からの高速の空気流が吹きつけられて、利用者Ｐの衣服に付着していた花粉や埃が吹き飛ばされる。尚、利用者Ｐが衣服を叩くようにすれば、循環ファン５を左程高速回転させなくても済む。
【００２６】
吹き飛ばされた花粉等は、図３(ｄ)に白丸で示す如く空気流に乗って洗い場ＢＲｂ側の壁面に運ばれる。ここで、壁面は予洗浄運転により水で濡れた状態になっているため、壁面に運ばれた花粉等は壁面の水に吸着して捕集される。また、洗い場ＢＲｂ側の壁面で捕集できなかった花粉等は、吸込み口２に向けて図３(ｄ)に黒矢印で示すように還流する空気流に乗って浴槽ＢＲａ側の壁面に運ばれて捕集される。何れの壁面でも捕集されなかった花粉等は吸込み口２からハウジング１内に吸込まれ、換気ファン７を介して屋外に排出される。また、花粉等の一部は吹出し口３から浴室ＢＲに再循環されるが、ある程度時間が経過すれば、浴室ＢＲの壁面での捕集や換気ファン７による排出で浴室ＢＲに浮遊する花粉等は極僅かになり、利用者Ｐの衣服に花粉等が再付着することはない。
【００２７】
尚、図２には示していないが、低気温時には、利用者Ｐに寒い思いをさせないように、本運転に際し放熱器６に熱媒体を供給して、吹出し口３から温風を吹き出させることが望ましい。また、本運転時に、利用者Ｐの呼吸を楽にするため、少量のミストを噴霧して空気を湿潤化するようにしても良い。
【００２８】
本運転開始後は、Ｓ７のステップで本運転の設定時間が経過したか否かを判別し、経過したと判別されたとき、Ｓ８のステップで本運転を停止する。その後、Ｓ９のステップで所定の待ち時間が経過したか否かを判別し、経過したときに、Ｓ１０のステップでアラームを鳴動させてからＳ１１のステップに進み、後洗浄運転を行う。
【００２９】
後洗浄運転では、予洗浄運転と同様に、ミストノズル１２から酸性水を噴霧すると共に、循環ファン５を回転させて吹出し口３からの送風を行い、更に、可変ルーバ３ａを動作させて、図３(ｅ)〜(ｇ)に白抜き矢印で示すように送風方向を浴室ＢＲの浴槽ＢＲａ側の壁面に向かう方向から洗い場ＢＲｂ側の壁面に向かう方向まで変化させる。但し、後洗浄運転では送風方向を時間をかけてゆっくりと変化させ、且つ、送風方向が下向きのときもミストノズル１２からの噴霧を継続する。これによれば、浴室ＢＲの壁面にミストノズル１２から噴霧される酸性水ミストが多量に運ばれて、壁面が洗い流される。その結果、本運転時に壁面に捕集された花粉等が壁面から洗い落とされて、浴室ＢＲの排水口ＢＲｃから排出される。また、酸性水により浴室ＢＲの殺菌も行われる。
【００３０】
後洗浄運転開始後は、Ｓ１２のステップで後洗浄運転の設定時間が経過したか否かを判別し、経過したときに、Ｓ１３のステップで後乾燥運転を行う。後乾燥運転では、通常の乾燥運転と同様に吹出し口３から温風を送風すると共に換気ファン７による湿気の排出を行う。次に、Ｓ１４のステップで後乾燥運転の設定時間が経過したか否かを判別し、経過したとき、Ｓ１５のステップで後乾燥運転を停止して、一連のミスト運転制御を完了する。
【００３１】
以上のミスト運転制御によれば、利用者Ｐの衣服に付着した花粉等を除去するエアシャワールームとして浴室ＢＲを十分に活用することができ、更に、エアシャワー運転後に浴室ＢＲに花粉等が浮遊することを防止できると共に、浴室ＢＲを殺菌できて衛生的である。
【００３２】
尚、エアシャワースイッチをオンした後、利用者は予洗浄運転が完了するまで浴室外で待機しなければならないが、予洗浄運転は２分程度で十分であり、手洗いやうがい等をしていれば予洗浄運転が完了するため、利用者に左程不便はかけない。また、エアシャワー運転の開始時刻を予約できるようにすれば、帰宅時に予洗浄運転が完了するように予約時刻を設定して、帰宅したときに直ぐに浴室に入ることもできる。
【００３３】
以上、本発明の実施形態について図面を参照して説明したが、本発明はこれに限られない。例えば、上記実施形態では、通風路４に流れる空気を加熱する加熱手段として放熱器６を用いているが、電気ヒータで加熱手段を構成することも可能である。また、上記実施形態では、予洗浄運転と後洗浄運転に際し、ミストノズル１２から酸性水を噴霧するようにしたが、水道水をそのまま噴霧するようにしても良い。但し、酸性水を噴霧した方が殺菌効果が得られるため有利である。
【図面の簡単な説明】
【００３４】
【図１】本発明の実施形態の浴室暖房機の説明的断面図。
【図２】実施形態の浴室暖房機で実行するエアシャワー運転制御の内容を示すフロー図。
【図３】エアシャワー運転時の各段階での送風とミスト噴霧の状態を示す説明図。
【符号の説明】
【００３５】
Ａ…浴室暖房機、ＢＲ…浴室、Ｐ…利用者、４…通風路、５…循環ファン、６…放熱器(加熱手段)、１２…ミストノズル、１３…電解槽、２４…コントローラ。
【図１】
2008014550.tif 000003
【図２】
2008014550.tif 000004
【図３】
2008014550.tif 000005